【手続補正書】
【提出日】令和3年6月4日(2021.6.4)
【手続補正１】
【補正対象書類名】特許請求の範囲
【補正対象項目名】全文
【補正方法】変更
【補正の内容】
【特許請求の範囲】
【請求項１】
家庭用装置コントローラであって、
１つ以上の家庭用装置をリストする選択可能なメニューを表示するタッチスクリーンと、
１つ以上の無線ネットワーク上で１つ以上の家庭用装置と通信する無線通信インターフェースと、
１つ以上の照明要素に結合した有線インターフェースと、
前記タッチスクリーンの近傍に配置された１つ以上のタッチ溝であって、各タッチ溝が、該タッチ溝を操作中のユーザーの指での操作を容易にするような長さおよび深さを有する、タッチ溝と、
各々が、前記１つ以上のタッチ溝の対応するタッチ溝に、動作可能に連結された１つ以上のタッチスライダーと、
前記家庭用装置コントローラに、
前記各タッチスライダーに対応するタッチ溝と対話するユーザーによって行われたタッチジェスチャーに対応する信号を、前記１つ以上のタッチスライダーの各々から受信させ、
少なくとも部分的に前記信号に基づいて、前記１つ以上の家庭用装置または前記１つ以上の照明要素から第１の家庭用装置によって実行可能な制御コマンドを生成させ、
前記制御コマンドを前記第１の家庭用装置に送信して実行させ、
前記家庭用装置コントローラと無線接続した前記１つ以上の家庭用装置の第２の家庭用装置を選択している前記タッチスクリーン上のユーザー入力を受信させ、
前記１つ以上のタッチ溝の選択されたタッチ溝を再設定させ、前記選択されたタッチ溝を用いて前記第２の家庭用装置の無線制御を可能とし、
前記選択されたタッチ溝の再設定に引き続き、前記タッチスクリーン上で行われたユーザーのジェスチャーに対応する信号を受信させ、
前記ユーザーのジェスチャーがタッチ制御ジェスチャーを有するか家庭用装置選択ジェスチャーを有するかを決定させ、
前記ユーザーのジェスチャーがタッチ制御ジェスチャーを有するとの決定に基づき、前記タッチスクリーン上で行われた前記ユーザーのジェスチャーに対応する受信信号に基づき前記第２の家庭用装置用の一組の制御コマンドを生成させ、
前記一組の制御コマンドを、前記１つ以上の無線ネットワーク上で、前記第２の家庭用装置に送信して実行させる、
命令を実行する１つ以上のプロセッサと、
を備えたことを特徴とするコントローラ。
【請求項２】
前記第１の家庭用装置が、前記１つ以上の照明要素のうちのある照明要素を含み、前記制御コマンドが、前記照明要素の明るさを向上又は低下させる調光レベルコマンドを含むことを特徴とする、請求項１記載の家庭用装置コントローラ。
【請求項３】
前記実行された命令が、前記家庭用装置コントローラに、前記調光レベルコマンドを、負荷線上における操作された出力波形として、前記照明要素に送信させることを特徴とする、請求項２記載の家庭用装置コントローラ。
【請求項４】
前記第２の家庭用装置が、前記家庭用装置コントローラと無線接続した第２の照明要素を有し、
前記実行された命令が、前記家庭用装置コントローラに、前記無線通信インターフェースを介して、前記調光レベルコマンドを前記第２の照明要素に送信させることを特徴とする、請求項２記載の家庭用装置コントローラ。
【請求項５】
前記第２のスマート家庭用装置が、温度制御システム、ファンコントローラ、窓コントローラ、又はオーディオコントローラのうちの１つを含むことを特徴とする、請求項１記載の家庭用装置コントローラ。
【請求項６】
前記タッチスライダーが、複数の静電容量タッチセンサーを含むことを特徴とする、請求項１記載の家庭用装置コントローラ。
【請求項７】
家庭用装置コントローラの１つ以上のプロセッサによって実行されると、前記家庭用装置コントローラに、
前記家庭用装置コントローラのタッチ溝と対話するユーザーによって行われた、タッチジェスチャーに対応する信号を、前記家庭用装置コントローラのタッチスライダーから受信させ、
少なくとも部分的に前記信号に基づいて、ｉ）１つ以上の無線ネットワーク上で前記家庭用装置コントローラの無線通信インターフェースと通信する１つ以上の家庭用装置、およびｉｉ）前記家庭用装置コントローラの有線インターフェースに結合した１つ以上の照明要素のいずれかの第１の家庭用装置によって実行可能な制御コマンドを生成させ、
前記制御コマンドを前記第１の家庭用装置に送信して実行させ、
前記家庭用装置コントローラのタッチスクリーン上のユーザー入力であって、前記家庭用装置コントローラと無線接続した前記１つ以上の家庭用装置の第２の家庭用装置を選択している、ユーザー入力を受信させ、
前記タッチ溝を再設定させ、前記タッチ溝を用いて前記第２の家庭用装置の無線制御を可能とし、
前記タッチ溝の再設定に引き続き、前記タッチスクリーン上で行われたユーザーのジェスチャーに対応する信号を受信させ、
前記ユーザーのジェスチャーがタッチ制御ジェスチャーを有するか家庭用装置選択ジェスチャーを有するかを決定させ、
前記ユーザーのジェスチャーがタッチ制御ジェスチャーを有するとの決定に基づき、前記タッチスクリーン上で行われた前記ユーザーのジェスチャーに対応する受信信号に基づき前記第２の家庭用装置用の一組の制御コマンドを生成させ、
前記一組の制御コマンドを、前記１つ以上の無線ネットワーク上で、前記第２の家庭用装置に送信して実行させる、
命令を記憶しており、
前記タッチ溝が、該タッチ溝を操作中のユーザーの指での操作を容易にするような長さおよび深さを有し、
前記タッチスクリーンが、前記家庭用装置コントローラの前記タッチ溝の近傍に配置されていることを特徴とする、非一時的コンピュータ可読媒体。
【請求項８】
前記第１の家庭用装置が、照明要素を含み、前記制御コマンドが、前記照明要素の明るさを向上又は低下させる調光レベルコマンドを含むことを特徴とする、請求項７記載の非一時的コンピュータ可読媒体。
【請求項９】
前記実行された命令が、前記家庭用装置コントローラに、前記調光レベルコマンドを、負荷線上における操作された出力波形として、前記照明要素に送信させることを特徴とする、請求項８記載の非一時的コンピュータ可読媒体。
【請求項１０】
前記第２の家庭用装置が、前記家庭用装置コントローラと無線接続した第２の照明要素を含み、前記実行された命令が、前記家庭用装置コントローラに、前記無線通信インターフェースを介して、前記一組の制御コマンドを前記第２の照明要素に送信させることを特徴とする、請求項７記載の非一時的コンピュータ可読媒体。
【請求項１１】
家庭用装置コントローラためのコンピュータ実装方法であって、前記方法が、家庭用装置コントローラの１つ以上のプロセッサによって実行され、
各々が、前記家庭用装置コントローラのタッチ溝と対話するユーザーによって行われた、タッチジェスチャーに対応する信号を、前記家庭用装置コントローラのタッチセンサーから受信するステップと、
少なくとも部分的に前記信号に基づいて、ｉ）１つ以上の無線ネットワーク上で前記家庭用装置コントローラの無線通信インターフェースと通信する１つ以上の家庭用装置、およびｉｉ）前記家庭用装置コントローラの有線インターフェースに結合した１つ以上の照明要素のいずれかの第１の家庭用装置によって実行可能な制御コマンドを生成するステップと、
前記制御コマンドを前記第１の家庭用装置に送信して実行するステップと、
前記家庭用装置コントローラのタッチスクリーン上のユーザー入力であって、前記家庭用装置コントローラと無線接続した前記１つ以上の家庭用装置の第２の家庭用装置を選択している、ユーザー入力を受信させるステップと、
前記タッチ溝を再設定させ、前記タッチ溝を用いて前記第２の家庭用装置の無線制御を可能とするステップと、
前記タッチ溝の再設定に引き続き、前記タッチスクリーン上で行われたユーザーのジェスチャーに対応する信号を受信させるステップと、
前記ユーザーのジェスチャーがタッチ制御ジェスチャーを有するか家庭用装置選択ジェスチャーを有するかを決定させるステップと、
前記ユーザーのジェスチャーがタッチ制御ジェスチャーを有するとの決定に基づき、前記タッチスクリーン上で行われた前記ユーザーのジェスチャーに対応する受信信号に基づき前記第２の家庭用装置用の一組の制御コマンドを生成させるステップと、
前記一組の制御コマンドを、前記１つ以上の無線ネットワーク上で、前記第２の家庭用装置に送信して実行させるステップと、
を含み、
前記タッチ溝が、該タッチ溝を操作中のユーザーの指での操作を容易にするような長さおよび深さを有し、
前記タッチスクリーンが、前記家庭用装置コントローラの前記タッチ溝の近傍に配置されていることを特徴とする方法。